(57)【特許請求の範囲】
【請求項１】
基台に垂直に取り付けられたフレームを備えた高さ測定用コラムにおいて、基台とフレームとの間の垂直性が調整可能であり、前記基台とフレームとの間の垂直性の調整が、調整要素によって実施され、前記基台が、調整要素の調整を可能にする隙間を形成する段差を備えていることを特徴とする、高さ測定用コラム。
【請求項２】
前記フレームが、固定要素によって基台に固定されることを特徴とする、請求項１に記載の高さ測定用コラム。
【請求項３】
前記フレームが、三つの固定要素によって基台に固定され、三つの固定要素が３本の固定用ねじによって構成されることを特徴とする、請求項１に記載の高さ測定用コラム。
【請求項４】
前記固定用ねじが、基台の下側に位置づけられた六角頭ねじであることを特徴とする、請求項３に記載の高さ測定用コラム。
【請求項５】
前記３本の固定用ねじが、底辺と高さが固定用ねじの頭部の直径の３倍に等しい二等辺三角形に従って配置されることを特徴とする、請求項３に記載の高さ測定用コラム。
【請求項６】
前記調整要素が、基台とフレームとの間に、固定要素によってかけられた力と反対方向の力をかけることを特徴とする、請求項１に記載の高さ測定用コラム。
【請求項７】
前記基台とフレームとの間の垂直性の調整が、２つの調整要素によって実施され、２つの調整要素が２本の調整用ねじによって構成されることを特徴とする、請求項１に記載の高さ測定用コラム。
【請求項８】
前記２本の調整用ねじが、調整用ねじの間の開きが二等辺三角形の底辺を形成する２本の固定用ねじの間の開きに等しくなるように、二等辺三角形の底辺に平行な軸に沿って、二等辺三角形の頂点に位置づけられた固定用ねじの両側に配置されることを特徴とする、請求項７に記載の高さ測定用コラム。
【請求項９】
前記調整用ねじは、固定要素を動かなくすることで高さ測定用コラムの組み立ての際にプレストレスがかけられることを特徴とする、請求項７に記載の高さ測定用コラム。
【請求項１０】
前記基台が、窪み部を有し、該窪み部に、空気の送り出し及び吸い込みができることを特徴とする、請求項１に記載の高さ測定用コラム。
【請求項１１】
基準面に対して高さ測定用コラムの垂直性を調整する高さ測定用コラムの調整方法において、
高さ測定用コラムの基台とフレームの間で垂直性を調整する過程を含み、
前記調整が、基台の隙間を形成する段差を通るフォークレンチによって、調整用ねじの締め付け／緩めによって実施されることを特徴とする方法。
【請求項１２】
前記基台が、基台の窪み部に存在する空気を吸い出すことで、基準面に押しつけられることを特徴とする、請求項１１に記載の調整方法。
【請求項１３】
基台にフレームを取り付けることで高さ測定用コラムを組み立てる方法において、
固定値からの６０から７０％の力で、基台にフレームの固定要素を締め付ける過程と、
所定の力まで基台に対してフレームの垂直性調整要素を締め付ける過程と、
固定値の１００％で固定要素を締め付ける過程とを含むことを特徴とする、組み立て方法。
【請求項１４】
基台にフレームを取り付けることで高さ測定用コラムを組み立てる方法において、
固定値からの６０から７０％の力で、基台にフレームの固定要素を締め付ける過程と、
所定の力まで基台に対してフレームの垂直性調整要素を締め付ける過程と、
固定値の１００％で固定要素を締め付ける過程とを含み、
基台が、基台の窪み部に存在する空気を吸い出すことで、基準面に押しつけられる過程を含むことを特徴とする、組み立て方法。
【発明の詳細な説明】
【０００１】
【発明の属する技術分野】
本発明は、高さ測定用コラムに関するものである。
本発明は、また本発明による高さ測定用コラムの調整方法に関するものである。
【０００２】
【従来の技術】
高さ測定用コラムは、基準面に対するある点の高さの測定、または２つの測定点の間の垂直距離の計算を可能にする測定機である。
かかる機械に一般的に期待される精度は、ミクロン程度である。
【０００３】
高さ測定用コラムの主要な要素は、一般的に、基台と、フレームと、キャリッジと、測定ピンと、測定システムと、駆動機構とである。
【０００４】
基台は、測定用コラムが、設置面つまり一般的に測定座標の基準の役割を果たすことができる平坦な表面の基準面と、接触する要素である。
基台は、測定用コラム自体の安定性も保証する。
【０００５】
フレームは、基台にほぼ垂直であり、一般的にその長さ方向にキャリッジの移動を案内するレールを備えている。
それによって、高さ測定用コラムの基台の基礎の面にほぼ垂直な測定軸を決定する。
【０００６】
キャリッジは、高さ測定用コラムの可動要素である。
測定軸にそってフレームを、一般的にその運動を案内し、その固定を保証する完全に直線のレールの上を移動する。
【０００７】
測定ピンは、キャリッジに取り付けられ、被測定物と接触するためのものである。
接触点は、視覚的に、あるいは、例えば、所定のしきい値を超える圧力が測定ピンにかかるとすぐにキャリッジの運動を停止する機構によって、自動的に決定される。
つぎに、接触点の高さを測定することができる。
【０００８】
測定システムは、測定軸に沿ったキャリッジの位置を正確に決定することができる、フレームに組み込まれた、例えば、誘導、容量性または光電式の要素を具備している。
測定システムは、一般的に、測定表示システムと情報処理ソフトウェアのどちらか一方または両方を備えている。
【０００９】
駆動機構は、フレームに取り付けられたキャリッジの移動を制御する。
これは、一般的にキャリッジに取り付けられ、フレームの上部もしくは下部に取り付けられたプーリによってベルトまたはケーブルを駆動する電気モータである。
駆動機構は、キャリッジの位置決め、結果的に測定ピンの正確な位置決め、を可能にする機械式操縦装置または電子式操縦装置、またはそれら両方を有する。
【００１０】
高さ測定精度を保証するために、測定軸が基準面に対して垂直であることが重要である。
しかしながら、このパラメータが、すこし不正確であるために発生した測定誤差があってもそれは小さいので、従来技術の高さ測定用コラムにおいては、この垂直性が理想的であることは滅多にない。
多くの測定用コラムは、さらに補正電子回路を有し、補正回路は工場で標準と比較して検定されているので、非垂直性によって引き起こされた垂直軸に対する測定の線形誤差を補正することができる。
しかしながら、大半の工場は必要な標準を所有していないので工場での測定補正は困難である。
【００１１】
しかしながら、高さ測定用コラムは垂直性の測定にも使用できる。
この場合、測定ピンは、コンパレータと交換され、後者は被測定物の表面をかすめながら移動して被測定表面とコンパレータの移動軸との間の距離のいっさいの変動が検出される。
このような用途において、測定軸と基準面の間の垂直性が測定精度の重要な要因になる。
したがって、この垂直性は完全に調整しておかなければならない。
補正電子回路は無効である、なぜならコンパレータから供給される情報はバイナリだからである。
【００１２】
基台とフレームの基礎との間の垂直性が、これらの要素の製造精度で保証されている高さ測定用コラムもある。
基台とフレームの間の接触表面は、最大限の精度で加工され、それによって完全な組み立てが保証される。
基準面に対して完全に垂直な位置を基台に印加するために、基台の基礎も完全に平坦でなければならない。
一つの例では、基準面として基台の上部を使用するものであり、その場合、後者を最大限の精度で加工しなければならない。
どのような選択肢を取った場合でも、部品の加工の品質も組み立ても最大限の注意をもって実施しなければならないので、かかる製造は高価で複雑なものになる。
他方で、基台または基準面上の被測定物の支えの長さは、コラムの高さより短いので、加工が少しでも不正確だと結果として垂直性のレベルでさらに増幅される。
【００１３】
特許文献１（米国特許第５，３７３，６４５号公報）には、支持板（ベアリング板と記載されているが、ベアリングは「軸受」の意味ではなく、「支持する」の意味と解する。）の下部に、調整用の３枚の支持板が備えられているのが記載されている（図２、図３および第７欄第３０行−第６５行）。
【００１４】
他の測定用コラムは、基礎が調整自在な基台を有し、そのため基台と基準面の間の平行を調整することができる。
これらのシステムも、一般的に調整脚を用いて実現される。
これらの解決法も、基台の加工にある複雑性が伴うので、かなり高価になる。
くわえて、かかる機構は、経時的にきわめて安定ではなく、その調整は頻繁に検査しなければならない。
【００１５】
【特許文献１】
米国特許第５，３７３，６４５号公報
【００１６】
【発明が解決しようとする課題】
本発明の目的の一つは、高さコラムの測定軸と作業表面の間の垂直性の簡単で堅牢な調整を可能にすることである。
【００１７】
【課題を解決するための手段】
本発明の課題を解決するための手段を次に示す。
第１に、基台に垂直に取り付けられたフレームを備えた高さ測定用コラムにおいて、基台とフレームとの間の垂直性が調整可能であることを特徴とする、高さ測定用コラム。
第２に、前記フレームが、固定要素によって基台に固定されることを特徴とする、上記第１に記載の高さ測定用コラム。
第３に、前記フレームが、三つの固定要素によって基台に固定され、三つの固定要素が３本の固定用ねじによって構成されることを特徴とする、上記第１に記載の高さ測定用コラム。
第４に、前記固定用ねじが、基台の下側に位置づけられた六角頭ねじであることを特徴とする、上記第３に記載の高さ測定用コラム。
第５に、前記３本の固定用ねじが、底辺と高さが固定用ねじの頭部の直径の３倍に等しい二等辺三角形に従って配置されることを特徴とする、上記第３に記載の高さ測定用コラム。
第６に、前記基台とフレームとの間の垂直性の調整が、調整要素によって実施されることを特徴とする、上記第１に記載の高さ測定用コラム。
第７に、前記調整要素が、基台とフレームとの間に、固定要素によってかけられた力と反対方向の力をかけることを特徴とする、上記第６に記載の高さ測定用コラム。
第８に、前記基台とフレームとの間の垂直性の調整が、２つの調整要素によって実施され、２つの調整要素が２本の調整用ねじによって構成されることを特徴とする、上記第６に記載の高さ測定用コラム。
第９に、前記２本の調整用ねじが、調整用ねじの間の開きが二等辺三角形の底辺を形成する２本の固定用ねじの間の開きに等しくなるように、二等辺三角形の底辺に平行な軸に沿って、二等辺三角形の頂点に位置づけられた固定用ねじの両側に配置されることを特徴とする、上記第８に記載の高さ測定用コラム。
第１０に、前記調整用ねじは、固定要素を動かなくすることで高さ測定用コラムの組み立ての際にプレストレスがかけられることを特徴とする、上記第８に記載の高さ測定用コラム。
第１１に、前記基台が、調整要素の調整を可能にする隙間を形成する段差を備えていることを特徴とする、上記第６に記載の高さ測定用コラム。
第１２に、前記基台が、窪み部を有し、該窪み部に、空気の送り出し及び吸い込みができることを特徴とする、上記第１に記載の高さ測定用コラム。
第１３に、基準面に対して高さ測定用コラムの垂直性を調整する高さ測定用コラムの調整方法において、
高さ測定用コラムの基台とフレームの間で垂直性を調整する過程を含むことを特徴とする方法。
第１４に、前記調整が、調整用ねじの締め付け／緩めによって実施されることを特徴とする、上記第１３に記載の調整方法。
第１５に、前記調整が、基台の隙間を形成する段差を通るフォークレンチによって実施されることを特徴とする、上記第１４に記載の調整方法。
第１６に、前記基台が、基台の窪み部に存在する空気を吸い出すことで、基準面に押しつけられることを特徴とする、上記第１３に記載の調整方法。
第１７に、基台にフレームを取り付けることで高さ測定用コラムを組み立てる方法において、
固定値からの６０から７０％の力で、基台にフレームの固定要素を締め付ける過程と、
所定の力まで基台に対してフレームの垂直性調整要素を締め付ける過程と、
固定値の１００％で固定要素を締め付ける過程とを含むことを特徴とする、組み立て方法。
第１８に、基台にフレームを取り付けることで高さ測定用コラムを組み立てる方法において、
固定値からの６０から７０％の力で、基台にフレームの固定要素を締め付ける過程と、
所定の力まで基台に対してフレームの垂直性調整要素を締め付ける過程と、
固定値の１００％で固定要素を締め付ける過程とを含み、
基台が、基台の窪み部に存在する空気を吸い出すことで、基準面に押しつけられる過程を含むことを特徴とする、組み立て方法。
また、上記課題は、本発明によれば、次に示す第１の手段に記載の特徴を備えた測定用コラムによって達成される。
この課題は、さらに第１７の手段に記載の調整法によって達成される。
【００１８】
本発明の第１の手段は、基台（２）に取り付けられたフレーム（１）を含む高さ測定用コラムにおいて、基台（２）とフレーム（１）の間の垂直性が調整可能であることを特徴とする高さ測定用コラムを提案するものである。
【００１９】
本発明の第２の手段は、第１の手段にくわえて、フレーム（１）が少なくとも一つの固定要素によって、基台（２）に固定されることを特徴とする高さ測定用コラムを提案するものである。
【００２０】
本発明の第３の手段は、第１の手段にくわえて、フレーム（１）が三つの固定要素によって基台（２）に固定され、三つの固定要素が３本の固定用ねじ（７）によって構成されることを特徴とする高さ測定用コラムを提案するものである。
【００２１】
本発明の第４の手段は、第３の手段にくわえて、固定用ねじ（７）が基台（２）下に位置づけられた六角頭ねじであることを特徴とする高さ測定用コラムを提案するものである。
【００２２】
本発明の第５の手段は、第３の手段にくわえて、３本の固定用ねじ（７）が底辺と高さが固定用ねじ（７）の頭部の直径の３倍にほぼ等しい二等辺三角形に従って配置されることを特徴とする高さ測定用コラムを提案するものである。
【００２３】
本発明の第６の手段は、第１の手段にくわえて、フレーム（１）と基台（２）との間の垂直性の調整が少なくとも一つの調整要素によって実施されることを特徴とする高さ測定用コラムを提案するものである。
【００２４】
本発明の第７の手段は、第６の手段にくわえて、調整要素がフレーム（１）と基台（２）との間に少なくとも一つの固定要素（７）によってかけられた力と反対方向の力をかけることを特徴とする高さ測定用コラムを提案するものである。
【００２５】
本発明の第８の手段は、第６の手段にくわえて、フレーム（１）と基台（２）との間の垂直性の調整が２つの調整要素によって実施され、２つの調整要素が２本の調整用ねじ（５）によって構成されることを特徴とする高さ測定用コラムを提案するものである。
【００２６】
本発明の第９の手段は、第７の手段にくわえて、２本の調整用ねじ（５）が、調整用ねじ（５）の間の開きが二等辺三角形の底辺を形成する２本の固定用ねじの間の開きにほぼ等しくなるように、二等辺三角形の底辺に平行な軸に沿って、二等辺三角形の頂点に位置づけられた固定用ねじの両側に配置されることを特徴とする高さ測定用コラムを提案するものである。
【００２７】
本発明の第１０の手段は、第７の手段にくわえて、調整用ねじ（５）は固定要素を動かなくすることで高さ測定用コラムの組み立ての際にプレストレスがかけられることを特徴とする高さ測定用コラムを提案するものである。
【００２８】
本発明の第１１の手段は、第４の手段にくわえて、基台（２）が、高さ測定用コラムが基台（２）の上に垂直に固定されたときに調整要素の調整を可能にする隙間を形成する段差（２０）を備えていることを特徴とする高さ測定用コラムを提案するものである。
【００２９】
本発明の第１２の手段は、第１の手段にくわえて、基台（２）が窪み部（２１）を有し、可逆的な圧縮空気を窪み部に流すことができることを特徴とする高さ測定用コラムを提案するものである。
【００３０】
本発明の第１３の手段は、基準面（３）に対して高さ測定用コラムの垂直性を調整する方法において、高さ測定用コラムのフレーム（１）と基台（２）の間で垂直を調整する過程、を含むことを特徴とする方法を提案するものである。
【００３１】
本発明の第１４の手段は、第１３の手段にくわえて、調整が少なくとも一つの調整用ねじ（５）の締め付け／緩めによって実施されることを特徴とする調整方法を提案するものである。
【００３２】
本発明の第１５の手段は、第１４の手段にくわえて、調整が基台（２）の基部内の隙間を形成する段差（２０）を通るフォークレンチによって実施されることを特徴とする調整方法を提案するものである。
【００３３】
本発明の第１６の手段は、第１３の手段にくわえて、基台（２）が、基台（２）の窪み部（２１）内を流れる空気流れの作用によって基準面に押しつけられることを特徴とする調整方法を提案するものである。
【００３４】
本発明の第１７の手段は、高さ測定用コラムの基台（２）に高さ測定用コラムのフレーム（１）を取り付ける方法において、
固定力の６０から７０％を表す力まで基台（２）にフレーム（１）の固定要素を締め付ける過程と、
所定の力まで基台（２）に対してフレーム（１）の垂直性調整要素を締め付ける過程と、
固定力の１００％まで固定要素を締め付ける過程とを含むことを特徴とする組み立て方法を提案するものである。
【００３５】
本発明の第１８の手段は、第１７の手段にくわえて、第１６の手段に記載の追加の調整過程を含むことを特徴とする組み立て方法を提案するものである。
【００３６】
とくに、この目的は、基台とフレームの間の垂直性が調整可能で、それによってさらに基準面に対する測定軸の垂直性の調整が可能になる高さ測定用コラムによって達成される。
【００３７】
高さ測定用コラムの基台とフレームの間の垂直性の調整は、高さ測定用コラムの異なる要素、とくに基台とフレームの間の接触表面の平行性または規則性の不正確さを補正することができる。
したがって、これらの部品の製造が簡単になり、そのコストが減じられる。
【００３８】
【実施例】
本発明は、付属の図面を参照して、例として挙げられた下記の説明を読むことによっていっそう明らかになるだろう。
【００３９】
図１は、本発明に係る高さ測定用コラムの主要構成の概略図であり、図２は、本発明に係る高さ測定用コラムの基台とフレームの下部の断面図であり、図３は、本発明に係る高さ測定用コラムの基台とフレームの下部の斜視図である。
【００４０】
本発明の推奨実施例は、基台２の基礎に垂直に基台２に固定されたフレーム１と、このようにして測定軸を定義するフレーム１にそってレール１０を移動するキャリッジ４とを含む。
用途によって、測定ピン４０または図示されていないコンパレータがキャリッジ４に取り付けられる。
本発明の推奨実施例によれば、高さ測定用コラムは、フレーム上のキャリッジの位置を正確に決定し、さらには、フレームに取り付けた測定ピンまたはコンパレータなどの、位置測定軸上の座標を決定するために、測定システムも備えている。
高さ測定用コラムは、さらにフレーム１にそってキャリッジ４の運動を制御する駆動機構も備えている。
【００４１】
本発明の推奨実施例による高さ測定用コラムは、例えば、大理石または花崗岩のテーブルなどの、測定軸のゼロ点の役割を果たすことができる平坦な基準面３の上に設置して使用する。
【００４２】
高さ測定用コラムのフレーム１は、固定要素によって基台２に固定される。
固定要素の役割は、基台２上のフレーム１の保持を保証し、組み立て後のこれらの要素の間のいっさいの機械的遊びを防止することである。
高さ測定用コラムの推奨実施例によれば、これらの固定要素は、例えば、３本の固定用ねじ７である。
固定用ねじ７は、高さ測定用コラムの基台２の下側に、このために備えられた孔の中に挿入され、ついで基台２とフレーム１を組み立てたときに、基台２の孔に向かい合うフレーム１の基部でねじを切った孔の中にねじ止めされる。
固定用ねじ７は、頭の周囲にかかった力を締め付けの際に、基台２に分散するように、好ましくはワッシャ７０を備えた円筒頭ねじである。
固定用ねじ７を組み立てた後で抜け落ちないように、ワッシャ７０は、好ましくは自己固定型とするとともに、一滴の接着剤またはゆるみ止めねじによって確保できるようにするものとする。
【００４３】
垂直性の調整は、調整要素の助けによって実行される。
これらの調整要素は、例えば、固定用ねじ７に平行な２本の調整用ねじ５である。
調整用ねじ５は、その効果のために基台２の中にあけた雌ねじへねじ締めされる。
それらの先端は、フレーム１の下面側に当接して、固定用ねじ７によってかかる力と反対方向にフレームに力をかける。
調整用ねじ５の均質な応力を保証し、調整の際のフレーム１の基部の変形を防止するために、好ましくは、面が平行な真鍮のチップ板６が、調整用ねじ５とフレーム１の基部の間に挿入される。
【００４４】
調整用ねじは、好ましくは、固定用ねじ７の締め付けによってプレストレスがかけられる。
組み立ての際に、３本の固定用ねじ７は、まず固定力の６０−７０％で締め付けられる。
つぎに、２本の調整用ねじは、フレーム１の下側表面に対して一定の力が作用するまで締め付けされる。
固定用ねじ７は、最終的に固定され、つぎに必要に応じて、例えば、ねじの頭の周囲に接着剤またはねじ山ブレーキを一滴付加して抜け落ちが防止される。
【００４５】
本発明の推奨実施例によれば、３本の固定用ねじ７は、底辺と高さが固定用ねじ７の頭部の直径の３倍にほぼ等しい二等辺三角形に従って配置される。
２本の調整用ねじ５は、調整用ねじ５の間の開きが、二等辺三角形の底辺を形成する２本の固定用ねじの間の開きにほぼ等しくなるように、二等辺三角形の底辺に平行な軸に沿って、二等辺三角形の頂点に位置づけられた固定用ねじの両側に有利には配置される。
調整用ねじを締め付け、相対する調整用ねじを緩めることによって２本の調整用ねじ５によって形成された平面に平行な面内で、すなわち、図示した例では、図２の断面の平面に平行な平面内で基台２に対するフレーム１の位置の調整を可能にする。
調整用ねじ５を締め付けるか、緩めることによって、２本の調整用ねじ５によって形成された平面に垂直な平面内で、すなわち、図示した例では、図２の断面の平面に垂直な平面内で基台２に対するフレーム１の位置の調整が可能になる。
【００４６】
高さ測定用コラムを最初に使用する前に、フレーム１に連結された測定軸と基準面３の間の垂直性を調整しなければならない。
高さ測定用コラムは、基準面３に設置された基台２によって垂直に置かれる。
つぎに、それぞれの調整用ねじ５の締め付けを、所望の精度が得られるまで交互に調整する。
調整用ねじ５は、好ましくは、六角頭ねじとし、基台２の基部の隙間を形成する段差２０に滑り込ませるように適合したフォークレンチ８によって調整することができる。
この実施例は、孔が下から調整用ねじへの接近を可能にする基準面上で垂直性の調整を実施することから成る。
しかしながらこの実施例は、垂直性の調整を担当する操作員にとって便利ではない。
【００４７】
本発明による高さ測定用コラムの垂直性の調整の経時安定性は、調整用ねじ５にプレストレスがかけられていることによって保証される。
調整用ねじ５は、強く圧縮されているので、その素材はつねにその弾性限度にあって、その後の圧縮の可能な範囲が縮小する。
調整の経時安定性は、その辺が２つの調整要素によって囲まれた固定要素の長さにほぼ等しい正方形の面積の上に固定要素と調整要素が配分されることによっても向上する。
この表面を制限することによって力のループのきわめて短い閉鎖が保証され、例えば、あまりに大きな定常ねじりモーメントの結果として発生することのある材料の疲労が防止される。
【００４８】
上述の高さ測定用コラムの好適な実施例において、フレームは３本の固定用ねじによって基台に固定される。
当業者には容易に理解できるように、本発明による固定用ねじ７の役割は、２つの要素を一緒に剛性的に固定することである。
この固定を例えば、フックや切り込みなどの他の固定要素によって実現することも考えられる。
【００４９】
本発明による高さ測定用コラムの有利な実施例において、基台２の下面には二つの窪み部２１を有し、該窪み部２１の中心には空気の送り出し及び吸い込みを行う開孔部が存在している。
該開孔部を介して、窪み部２１の部分に可逆的な圧縮空気を流すことができる。
そして、高さ測定用コラムの調整の際に、基台２の窪み部２１から該窪み部２１に存在する空気を吸引すると、基準面３に周囲が密着する窪み部２１が真空状態になる。
そのため、窪み部２１が位置する基台２の下面側が、基準面３に強く押しつけられることになり、結果として、良好な安定性が保証される。
これによって、調整の際のコラムの動き、さらには転倒が防止される。
ここで、高さ測定用コラムを移動する際には、窪み部２１に圧縮空気を送り出し、空気の流れを逆転することによって、エアクッション的な作用により、高さ測定用コラムが僅かに持ち上げられるので、その移動が容易になる。
【００５０】
【発明の効果】
本発明は、以上述べたような特徴を有するので、高さ測定用コラムの測定軸と作業表面の間の垂直性について、簡単で堅牢な調整を可能にすることができる。
【図面の簡単な説明】
【図１】本発明に係る高さ測定用コラムの主要構成の概略図
【図２】本発明に係る高さ測定用コラムの基台とフレームの下部の断面図
【図３】本発明に係る高さ測定用コラムの基台とフレームの下部の斜視図
【符号の説明】
１  フレーム
２  基台
３  基準面
４  キャリッジ
５  調整用ねじ
６  チップ板
７  固定用ねじ
８  フォークレンチ
１０  レール
２０  段差
２１  窪み部
４０  測定ピン
７０  ワッシャ
【図１】
0003818960.tif 000002
【図２】
0003818960.tif 000003
【図３】
0003818960.tif 000004